(57)【要約】      （修正有）【課題】エアの圧力がかかったときの支持体非固着部位での濾材接触部位の面積を低減して、エアの濾過面積の減少を抑制することにより、従来よりも広い面積でエアを濾過し、圧損が低いエアフィルタの提供。【解決手段】プリーツ状の濾材１の一方の面に形成される複数の山部Ａ５とプリーツ状の濾材１の他方の面に形成される複数の山部Ｂ６とを有し、少なくとも１つの山部Ａ５は、その一方の面側に固着された支持体Ａ２を有し、少なくとも１つの山部Ｂ６は、その他方の面側に固着された支持体Ｂ４を有し、互いに隣り合う山部Ａ５の稜線と山部Ｂ６の稜線との距離を山高さαとしたとき、支持体Ａ５の山高さαと平行方向における支持体長さεが山高さαの５０％以上であり、支持体Ｂ６の山高さαと平行方向における支持体長さδが山高さαの２０〜４０％であるプリーツ状のエアフィルタの濾材１。【選択図】図５
2017035661.tif 000002
【特許請求の範囲】
【請求項１】
プリーツ濾材の一方の面に形成されている複数の山部Ａと前記プリーツ濾材の他方の面に形成される複数の山部Ｂとを有し、
少なくとも１つの前記山部Ａは、その前記一方の面側に固着された支持体Ａを有し、
少なくとも１つの前記山部Ｂは、その前記他方の面側に固着された支持体Ｂを有し、
互いに隣り合う前記山部Ａの稜線と前記山部Ｂの稜線との距離を山高さαとしたとき、前記支持体Ａの前記山高さαと平行方向における支持体長さεが前記山高さαの５０％以上であり、
前記支持体Ｂの前記山高さαと平行方向における支持体長さδが前記山高さαの２０％以上４０％以下であるエアフィルタ。
【請求項２】
隣り合う２つの前記山部Ａの頂点間の距離を山ピッチβとしたとき、山高さαと全ての前記山ピッチβの平均値βａｖｅとの比が、α：βａｖｅ＝１０：１よりも、前記山高さαの比率が大きい請求項１記載のエアフィルタ。
【請求項３】
山高さαが３０ｍｍ以上である請求項１または２に記載のエアフィルタ。
【発明の詳細な説明】
【技術分野】
【０００１】
本発明は、空気清浄機や掃除機、エアコンなどの家庭用機器およびビルの空調用などに用いることができるエアフィルタに関するものである。
【背景技術】
【０００２】
支持体が固着したフィルタは、空気清浄機や掃除機、エアコンなどの家庭用機器およびビルの空調用などに広く使用されている。
【０００３】
上記の支持体の固着には、例えば、不連続的な支持体の固着方法が提案されている（特許文献１参照。）。図３は、この固着方法により製作されたエアフィルタの固着部分を示す概略縦断図面である。このエアフィルタは、濾材１に支持体２である樹脂を不連続に付設した後に、折り畳まれ、樹脂同士が接着している。このエアフィルタは、エアの圧力により支持体固着部位のフィルタ濾材の変形が起こりにくい。
【先行技術文献】
【特許文献】
【０００４】
【特許文献１】特開２０００−８４３３３号公報
【発明の概要】
【発明が解決しようとする課題】
【０００５】
しかしながら、特許文献１に開示されたエアフィルタの支持体非固着部位は、図４に示されるように、エアの濾過中はエアの圧力により変形して濾材１同士が接触し、濾材接触部位１３が形成され易い。このような濾材接触は、エアを濾過できる濾材面積を減少させるため、エアフィルタの圧損が高いという課題がある。
【０００６】
そこで本発明の目的は、エアの圧力がかかったときの支持体非固着部位での濾材接触部位の面積を低減して、エアの濾過面積の減少を抑制することにより、従来よりも広い面積でエアを濾過し、圧損が低いエアフィルタを提供することにある。
【課題を解決するための手段】
【０００７】
本発明は、上記課題を解決せんとするものであり、本発明のエアフィルタは、プリーツ濾材の一方の面に形成されている複数の山部Ａと前記プリーツ濾材の他方の面に形成される複数の山部Ｂとを有し、少なくとも１つの前記山部Ａは、その前記一方の面側に固着された支持体Ａを有し、少なくとも１つの前記山部Ｂは、その前記他方の面側に固着された支持体Ｂを有し、互いに隣り合う前記山部Ａの稜線と前記山部Ｂの稜線との距離を山高さαとしたとき、前記支持体Ａの前記山高さαと平行方向における支持体長さεが前記山高さαの５０％以上であり、前記支持体Ｂの前記山高さαと平行方向における支持体長さδが前記山高さαの２０％以上４０％以下である。
また、本発明のエアフィルタでは、隣り合う２つの前記山部Ａの頂点間の距離を山ピッチβとしたとき、山高さαと全ての前記山ピッチβの平均値βａｖｅとの比が、α：βａｖｅ＝１０：１よりも、前記山高さαの比率が大きいことが好ましい。
また、本発明のエアフィルタでは、山高さαが３０ｍｍ以上であることが好ましい。
【発明の効果】
【０００８】
本発明によれば、エアの圧力がかかったときの支持体非固着部位での濾材接触部位の面積を低減して、エアの濾過面積の減少を抑制することで、従来よりも広い面積でエアを濾過して、圧損が低いエアフィルタを得ることができる。
【図面の簡単な説明】
【０００９】
【図１】図１は、本発明のプリーツ濾材に支持体を固着してなるエアフィルタの周囲に枠体を配したフィルタユニットの概略斜視図である。
【図２】図２は、図1のフィルタユニットを矢記Ｐ方向から見たフィルタユニットの概略正面図である。
【図３】図３は、従来のエアフィルタにおける図２の断面Ｘ部分の概略縦断面図である。
【図４】図４は、従来のエアフィルタにおける図２の断面Ｙ部分の概略縦断面図である。
【図５】図５は、本発明のエアフィルタにおける図２の断面Ｘ部分の概略縦断面図である。
【図６】図６は、本発明のエアフィルタにおける図２の断面Ｙ部分の概略縦断面図である。
【発明を実施するための形態】
【００１０】
本発明のエアフィルタは、プリーツ濾材の一方の面に形成されている複数の山部Ａと前記プリーツ濾材の他方の面に形成される複数の山部Ｂとを有し、少なくとも１つの前記山部Ａは、その前記一方の面側に固着された支持体Ａを有し、少なくとも１つの前記山部Ｂは、その前記他方の面側に固着された支持体Ｂを有し、互いに隣り合う前記山部Ａの稜線と前記山部Ｂの稜線との距離を山高さαとしたとき、前記支持体Ａの前記山高さαと平行方向における支持体長さεが前記山高さαの５０％以上であり、前記支持体Ｂの前記山高さαと平行方向における支持体長さδが前記山高さαの２０％以上４０％以下である。
【００１１】
次に、図面に基づいて、本発明のエアフィルタについて説明する。
【００１２】
図１は、本発明のプリーツ加工された濾材１に支持体２を固着してエアフィルタを形成し、そのエアフィルタの周囲に枠体３を配し、一体化した状態を示す概略斜視図である。エアフィルタは、プリーツ加工された濾材１と、濾材１で形成される山部の稜線垂直方向に固着した支持体２から構成されている。本発明のエアフィルタが空気清浄機等に搭載されている状態では、図１において、エアは、図１中の方向Ｐに沿って供給されエア中のダストの濾過が行われる。
【００１３】
図２は、図１のエアフィルタを、図１の矢印Ｐ方向から見た概略正面図である。プリーツ加工された濾材１に支持体２を固着してエアフィルタを形成し、そのエアフィルタの周囲に枠体３を配し、一体化した状態を示す。図２の断面Ｘは、エアフィルタの内、濾材１に支持体２が固着した箇所のプリーツ濾材断面を示している。また、図２の断面Ｙは、エアフィルタの内、濾材１に支持体２が固着していない箇所のプリーツ濾材断面を示している。
【００１４】
図３は、従来の支持体２を付設したエアフィルタにおける、図２の断面Ｘ部分の概略縦断面図である。また、図４は、従来の支持体２を付設したエアフィルタにおける、図２の断面Ｙ部分の概略縦断面図である。
【００１５】
図５は、本発明のエアフィルタにおける、図２の断面Ｘ部分の概略縦断面図である。また、図６は、本発明のエアフィルタにおける、図２の断面Ｙ部分の概略縦断面図である。また、図５および図６に示す本発明のエアフィルタは、エアが方向Ｑに沿って供給されるように空気清浄機などに配された場合に圧損の低いエアフィルタとなる。そのメカニズムの詳細については後述する。
【００１６】
図３に示されるように、濾材１に支持体Ａ２および支持体Ｂ４を両面均等な長さで付設した場合において、そのエアフィルタが、エアが方向Ｑに沿って供給されるように空気清浄機等に配された場合、そのエアフィルタの断面Ｘではエアの圧力がかかったときに、無風時のプリーツ形状と同様なプリーツ形状が維持されるが、そのエアフィルタの断面Ｙではエアの圧力により濾材が変形して図４に示されるように山部Ｂ６の頂点部付近において濾材同士が接触し、濾材接触部位１３が形成される。このような濾材接触部位１３においては、エアを濾過する面積が減少するため、濾材の圧損が高くなる。
【００１７】
一方、図５のように、本発明のエアフィルタでは、濾材１のエア流出面（エアフィルタを空気清浄機等に取り付けた状態で方向Ｑの下流側に配される面）には山部Ａ５が形成されており、濾材１のエア流入面（エアフィルタを空気清浄機等に取り付けた状態で方向Ｑの上流側に配される面）には山部Ｂ６が形成されており、山部Ａ５のエア流出面側および山部Ｂ６のエア流入面側には、それぞれ支持体Ａ２および支持体Ｂ４が固着されており、その支持体Ａ２の山高さαと平行方向における支持体長さεが山高さαの５０％以上であり、その支持体Ｂ４の山高さαと平行方向における支持体長さδが山高さαの２０％以上４０％以下となっている。ここで、支持体長さεとは、山高さαと平行方向における山部Ａの稜線から支持体Ａの山部Ｂ側の端部までの距離のうち最大となる距離をいい、支持体長さδとは、山高さαと平行方向における山部Ｂの稜線から支持体Ｂの山部Ａ側の端部までの距離のうち最大となる距離をいう。
【００１８】
ここで、本発明のエアフィルタは上記のとおりの構成をもつことで、図５に示すようにエアフィルタの断面Ｘにおいては山部Ａ５の頂点付近に濾材接触部位１６が形成される。また、エアフィルタの断面Ｙにおいては、エアの圧力がかかっていないときは、その断面Ｙにおいても断面Ｘと同様の流出面から流入面に膨らんだ形状を形成し濾材接触部分が形成されるが、エアの圧力がかかったときには、図６に示されるように、方向Ｑに沿って流入するエアの圧力によって、山部Ａ側でエア流入面からエア流出面へ濾材が膨らむように変形し、エア流出面からエア流入面へ濾材の膨らむ力とエア流入面からエア流出面へのエアの圧力とが拮抗し、山部Ａ側での濾材接着部分の形成が抑制される。一方、山部Ｂ側では、エアフィルタの断面Ｘおよび断面Ｙともにエアの圧力がかかっていないときは、図５に示されるように、濾材はエア流出面からエア流入面に膨らむような形状となっている。よって、山部Ｂ側でも、エア流出面からエア流入面へ濾材の膨らむ力とエア流入面からエア流出面へのエアの圧力とが拮抗し、濾材接着部分の形成が抑制される。すなわち、本発明のエアフィルタにおいては、特定の支持体長さεの支持体Ａと特定の支持体長さδの支持体Ｂを有するので、その山部Ａ側および山部Ｂ側の両方で濾材接着部分が形成されるのが抑制され、エアを濾過する面積の減少が抑制され、その圧損が低くなる。
【００１９】
プリーツ加工した濾材には、通気性を有した多孔性の材料を用いることができ、好ましくは、通気性に優れた不織布などを用いることができ、さらに好ましくは、ポリオレフィン、ポリエステル、ビニロン、ナイロン、ポリアミド、レーヨン、ガラス、セルロースの中の１つ以上を含む不織布を用いることができる。濾材の目付は、２０ｇ／ｍ２以上であることが好ましく、４０ｇ／ｍ２以上であることがより好ましい。一方で、その上限は、２００ｇ／ｍ２以下であることが好ましく、１３０ｇ／ｍ２以下であることがより好ましい。濾材の厚さは、０．１ｍｍ〜１．０ｍｍが好ましい態様である。プリーツ加工した濾材は、単層濾材でも複数の濾材を積層し多層構造としたものでも用いることができる。
【００２０】
濾材のプリーツ加工は、隣り合う２つの山部Ａの頂点間の距離を山ピッチβとしたとき、山高さαと全ての山ピッチβの平均値βａｖｅとの比が、α：βａｖｅ＝１０：１よりも、山高さαの比率が大きいことが好ましく、α：βａｖｅ＝１３：１よりも、山高さαの比率が大きいことがより好ましい。一方で、α：βａｖｅ＝１７：１よりも、山高さαの比率が小さいことが好ましい。
【００２１】
また、山高さαは、５ｍｍ以上であることが好ましく、より好ましくは、３０ｍｍ以上であり、さらに好ましくは４０ｍｍ以上である。一方、山高さαは、２００ｍｍ以下であることが好ましく、１５０ｍｍ以下であることがより好ましい。
【００２２】
支持体間隔γは、２０ｍｍ〜８０ｍｍであることが好ましい。
【００２３】
支持体ＡおよびＢは、好ましくは樹脂から構成されている。なかでも、接着や溶着などの作業性に優れる樹脂、特に熱可塑性樹脂を用いることが好ましい態様である。熱可塑性樹脂の例としては、オレフィン系樹脂やエチレン酢酸ビニル系樹脂などを挙げることができる。特に、オレフィン系樹脂は、結晶化が適度に遅く作業性に優れるとともに接合強度が高く、さらに異臭も少ないため好ましく用いられる。
【００２４】
支持体ＡおよびＢの付設は、例えば、あらかじめプリーツ加工をした濾材の山部に溶融状態にある樹脂を設け、それらが完全に固まりきらない、いまだ接合性を有している状態で濾材を折り畳んで樹脂同士を接触させ、折り畳んだ形状を保持したまま冷却し、樹脂を固化させることにより行うことができる。
【００２５】
また、支持体ＡおよびＢに樹脂を用いる場合、その粘度は１６０℃の温度において、５Ｎｓ／ｍ２（５，０００ｃＰ）以上であることが好ましく、８Ｎｓ／ｍ２（８，０００ｃＰ）以上であることがより好ましい、一方で、１５Ｎｓ／ｍ２（１５，０００ｃＰ）以下であることが好ましく、さらには１２Ｎｓ／ｍ２（１２，０００ｃＰ）以下であることが好ましい。粘度が５Ｎｓ／ｍ２を下回ると、流動性が増して、樹脂を所定の位置に接合しにくくなる。また、粘度が１５Ｎｓ／ｍ２を超えると、樹脂が固くなり、ノズルなどから吐出することができにくくなる。
【００２６】
用いられる樹脂の取り扱い易さの指標となるオープンタイム（樹脂が接合性を有している時間を示す指標）は、５秒以上であることが好ましく、２０秒以上であることがより好ましい。一方、６０秒以下であることが好ましく、さらには４０秒以下であることが好ましい態様である。オープンタイムが５秒を下回ると、樹脂の接合作業を始める前に樹脂が固化してしまい樹脂の接合ができにくくなる。また、オープンタイムが６０秒を上回ると、樹脂が固化するまでの時間が長く、作業性が悪くなる。ここで、オープンタイムとは、環境温度２０℃において、プリーツ加工した濾材に、その濾材の稜線垂直方向に、支持体を１８０℃の温度で、長さが２５ｍｍで、直径が１ｍｍとなるように付設し、濾材の山同士を加重９．８Ｎで合わせ、２秒間保持したときから、引き離すことができるまでの時間をいう。
【００２７】
プリーツ加工した濾材には、通気性に優れた不織布などの別の濾材を重ね合わせることが好ましい態様である。この場合、重ね合わせる別の濾材は、エアの流入する側と流出する側の両方に設けてもよく、どちらか一方にのみ設けることもできる。別の濾材をエアの流入側に設ける場合には、上記した別の濾材がプリーツ加工した濾材のプレフィルタとしての機能を果たし、好ましい態様となる。一方、別の濾材をエアの流出側に設ける場合には、濾材全体が流出側に湾曲し変形するのを防ぐように作用する。上記別の濾材は、濾材の周辺部や支持体部分で接合し固定することが好ましい。
【００２８】
また、プリーツ加工した濾材や別の濾材に、抗菌性、抗ウイルス性、防かび性、芳香性、消臭性および難燃性などの性質をそれぞれ単独で、もしくは複合して付与することができる。抗菌性を、例えば、プリーツ加工した濾材に付与した場合は、濾材に各種の菌類が繁殖することを防ぎ、濾材の寿命を延長することができる。また、抗菌性を別の濾材に付与した場合には、上流側にその別の濾材を配して下流側の濾材に菌類を含んだエアが供給されることを防いだり、下流側にその別の濾材を配して濾過したエアに菌類が混入するのを防いだりすることができる。
【００２９】
また、消臭性や芳香性を付与した場合も、清浄なエアを供給することができ、使用可能な期間を伸ばすことができる。
【００３０】
上記した機能の付与方法については、そのような機能を有する薬剤を濾材に塗布する方法や、濾材にそのような薬剤をあらかじめ練り込んでおく方法や、濾材を上記した機能を有する素材で製造する方法などを挙げることができる。これらの機能は、上記に準じた方法で支持体に付与することもできる。
【００３１】
上記した例では、プリーツ加工した濾材や別の濾材は、それぞれ単層の濾材で構成された場合について説明したが、複数の濾材を積層し多層構造としたものを用いることもできる。それらの濾材は、同種のものを重ねてもよく、異種のものを積層することもできる。例えば、異種濾材を積層する場合は、エアの流入側に目の粗い濾材を配し、流出側に目の細かい濾材を配したりすることができる。また、濾材を、例えば抗菌性を有する濾材と消臭性を有する濾材との積層体で構成し、複数の機能を付与することもできる。
【００３２】
上述したようなエアフィルタは、通常、その周囲に枠体を配して濾材と一体化し、フィルタユニットを構成する。一体化することにより、エアフィルタの強度が増し、取り扱いが容易となる。この枠体についても、抗菌性などの上記した機能を単独もしくは複合して付与することができる。
【００３３】
本発明のエアフィルタは、空気清浄機や掃除機、エアコンなどの家庭用機器およびビルの空調用機器および住宅換気機器および印刷機器および建設用機械および自動車キャビン空調などに好適に用いることができる。
【実施例】
【００３４】
次に、実施例を用いて本発明のエアフィルタについて、より具体的に説明する。実施例におけるフィルタの評価方法は、次のとおりである。
【００３５】
＜エアフィルタユニットの圧損と粒径０．３〜０．５μｍの粒子の捕集性能測定＞
ＪＩＳ  Ｂ９９０８（２００１）形式１試験法に準じた評価機器に、エアフィルタユニットをセットし、エアフィルタ定格風量で空気を流しフィルタユニット初期圧損（△Ｐ）を求める。次いで、上流側から一般外気を供給し、評価フィルタ前後の粒子数（大気塵）を、パーティクルカウンターを用いて測定し、下記の式から捕集効率を求める。
・η＝（１−（ＣＯ／ＣＩ））×１００
・ＣＯ＝評価フィルタ通過後の粒径０．３〜０．５μｍの粒子数
・ＣＩ＝評価フィルタ通過前の粒径０．３〜０．５μｍの粒子数
圧損は、評価試料前後の差圧をマノメーターから読みとる。
【００３６】
（実施例１）
目付が６０ｇ／ｍ２の不織布（エレクトレットポリプロピレンメルトブロー不織布と短繊維不織布との積層体）を、山高さα４３ｍｍで、幅２３１ｍｍでプリーツ加工を行い、平面状に伸ばした状態で、ノズルから支持体であるポリオレフィン樹脂（軟化点が１４０℃で、１６０℃の温度における粘度１Ｎｓ／ｍ２（１１０００ｃＰ））を１６０℃の温度で濾材の山部に塗布し、いまだ接合性を有している間に折り畳み、図５に示す構造のエアフィルタ（濾材使用面積１．４ｍ３、サイズ２３４ｍｍ×２３４ｍｍ×４６ｍｍ、平均値βａｖｅ３．３ｍｍ、α：βａｖｅ＝１３：１、支持体間隔γ５０．８ｍ、定格風量５．５ｍ３／分）を得た。エレクトレットポリプロピレンメルトブロー不織布側の支持体は、エレクトレットポリプロピレンメルトブロー不織布面の山部の稜線から短繊維不織布面の山部の稜線の垂線方向に、山高さαの５８％（２５ｍｍ）で固着されていた。すなわち、支持体Ａの支持体長さεは山高さαの５８％（２５ｍｍ）であった。また、短繊維不織布側の支持体は、短繊維不織布面の山部の稜線からエレクトレットポリプロピレンメルトブロー不織布面の山部の稜線の垂線方向に、山高さαの３７％（１６ｍｍ）で固着されていた。すなわち、支持体Ｂの支持体長さδは山高さαの３７％（１６ｍｍ）であった。
【００３７】
（比較例１）
目付が６０ｇ／ｍ２の不織布（エレクトレットポリプロピレンメルトブロー不織布と短繊維不織布との積層体）を、山部の高さ４３ｍｍで、幅２３１ｍｍでプリーツ加工を行い、平面状に伸ばした状態で、ノズルから支持体であるポリオレフィン樹脂（軟化点が１４０℃で、１６０℃の温度における粘度１Ｎｓ／ｍ２（１１０００ｃＰ））を１６０℃の温度で濾材の山部に塗布し、いまだ接合性を有している間に折り畳み、図３に示す構造のフィルタ（濾材使用面積１．４ｍ３、サイズ２３４ｍｍ×２３４ｍｍ×４６ｍｍ、平均値βａｖｅ３．３ｍｍ、α：βａｖｅ＝１３：１、支持体間隔γ５０．８ｍ、定格風量５．５ｍ３／分）を得た。短エレクトレットポリプロピレンメルトブロー不織布側の支持体は、エレクトレットポリプロピレンメルトブロー不織布面の山部の稜線から短繊維不織布面の山部の稜線の垂線方向に、山高さαの３５％（１５ｍｍ）で固着されていた。すなわち、支持体Ａの支持体長さεは山高さαの３５％（１５ｍｍ）であった。また、短繊維不織布側の支持体は、短繊維不織布面の山部の稜線からエレクトレットポリプロピレンメルトブロー不織布面の山部の稜線の垂線方向に、山高さαの３７％（１６ｍｍ）で固着されていた。すなわち、支持体Ｂの支持体長さδは山高さαの３７％（１６ｍｍ）であった。
【００３８】
（比較例２）
目付が６０ｇ／ｍ２の不織布（エレクトレットポリプロピレンメルトブロー不織布と短繊維不織布との積層体）を、山部の高さ４３ｍｍで、幅２３１ｍｍでプリーツ加工を行い、平面状に伸ばした状態で、ノズルから支持体であるポリオレフィン樹脂（軟化点が１４０℃で、１６０℃の温度における粘度１Ｎｓ／ｍ２（１１０００ｃＰ））を１６０℃の温度で濾材の山部に塗布し、いまだ接合性を有している間に折り畳み、図３に示す構造のフィルタ（濾材使用面積１．４ｍ３、サイズ２３４ｍｍ×２３４ｍｍ×４６ｍｍ、平均値βａｖｅ３．３ｍｍ、α：βａｖｅ＝１３：１、支持体間隔γ５０．８ｍｍ、定格風量５．５ｍ３／分）を得た。短エレクトレットポリプロピレンメルトブロー不織布側の支持体は、エレクトレットポリプロピレンメルトブロー不織布面の山部の稜線から短繊維不織布面の山部の稜線の垂線方向に、山高さαの５８％（２５ｍｍ）で固着されていた。すなわち、支持体Ａの支持体長さεは山高さαの５８％（２５ｍｍ）であった。短繊維不織布側の支持体は、短繊維不織布面の山部の稜線からエレクトレットポリプロピレンメルトブロー不織布面の山部の稜線の垂線方向に、山高さαの５３％（２３ｍｍ）で固着されていた。すなわち、支持体Ｂの支持体長さδは山高さαの５３％（２３ｍｍ）であった。
【００３９】
上記のエアフィルタを、前記した＜エアフィルタユニットの圧損と粒径０．３〜０．５μｍの粒子の捕集性能測定＞に基づいて、圧損および捕集効率を測定した。結果を表１に示す。
【００４０】
比較例１は、実施例１の短繊維不織布面と同等の長さで濾材両面に支持体を塗布したこと以外は、実施例１と同様の製造方法で作製したが、エアの圧力がかかったとき、支持体非固着部で濾材同士が接触した形状となり、濾材接触部位１３が形成され、実施例１と比較して、圧損が高くなることが分った。
【００４１】
また、比較例２は、実施例１のエレクトレットポリプロピレンメルトブロー不織布面と同等の長さで濾材両面に支持体を塗布したこと以外は、実施例１と同様の製造方法で作製したが、エアの圧力がかかったとき、支持体非固着部で濾材同士が接触した形状となり、濾材接触部位１３が形成され、比較例１よりは圧損が低くなったが、実施例１と比較して、圧損が高くなった。
【００４２】
この結果から、低い圧損でエアを濾過するには、本発明のエアフィルタを用いることが必要であることが分かった。
【００４３】
【表１】
2017035661.tif 000003
【符号の説明】
【００４４】
１：濾材
２：支持体Ａ
３：枠体
４：支持体Ｂ
５：山部Ａ
６：山部Ｂ
１３：濾材接触部位
１６：濾材接触部位
Ｐ：方向
Ｑ：方向
Ｘ：断面
Ｙ：断面
α：山高さ
β：山ピッチ
γ：支持体間隔
ε：支持体長さ
δ：支持体長さ
【図１】
2017035661.tif 000004
【図２】
2017035661.tif 000005
【図３】
2017035661.tif 000006
【図４】
2017035661.tif 000007
【図５】
2017035661.tif 000008
【図６】
2017035661.tif 000009